【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
ピペットチップ内へフィルタを装填する方法であって、
近位表面を備えるフィルタをピペットチップの近位末端に配置することであって、
前記ピペットチップは、近位開口と、遠位開口と、近位領域と、遠位領域と、外側表面と、内側表面と、複数の内側リブとを含む単体ピペットチップであり、
前記複数の内側リブの各内側リブは、前記近位領域おける前記ピペットチップの前記内側表面上に軸方向に配置され、
前記複数の内側リブのうちの内側リブは、前記ピペットチップの前記内側表面の周りに周方向に分布させられており、
前記複数の内側リブの各内側リブは、前記ピペットチップの内側を向いている軸方向表面と、隣接する近位表面とを備え、
前記複数の内側リブの各々の近位表面は、前記ピペットチップの内側の中心を通る長手方向軸に対して１０度から８０度の間の角度に配置されており、
前記複数の内側リブの各々の近位表面は、前記ピペットチップの前記近位領域内のノズル密封区域より下に配置されている、ことと、
前記フィルタの前記近位表面に力を加えることであって、
前記力は、前記長手方向軸に平行な方向に加えられ、
前記フィルタの遠位表面は、前記内側リブの前記近位表面に接触して通り越し、
前記力は、前記フィルタの前記近位表面が前記複数の内側リブの各々の前記遠位末端に対して遠位である位置に配置されるまで加えられる、ことと
を含む、方法。
【請求項２】
前記ピペットチップは、前記近位開口と前記遠位開口との間の長さを含み、
前記近位領域は、近位領域長さを備え、
前記遠位領域は、遠位領域長さを備え、
前記近位領域は、前記遠位領域に隣接し、
前記近位領域長さは、前記近位開口と前記遠位開口との間の前記長さの約４５％以下である、請求項１に記載の方法。
【請求項３】
前記ピペットチップは、複数の外側リブを備え、
前記複数の外側リブの各外側リブは、前記ピペットチップの前記外側表面上に軸方向に配置されており、
前記複数の外側リブのうちの外側リブは、前記ピペットチップの前記外側表面の周りに周方向に分布させられており、
前記複数の外側リブの各外側リブは、遠位末端を備える、請求項１または請求項２に記載の方法。
【請求項４】
前記ピペットチップの前記近位領域は、前記ピペットチップの前記近位開口から前記外側リブの前記遠位末端までであり、
前記ピペットチップの前記遠位領域は、前記遠位開口から前記外側リブの前記遠位末端までである、請求項３に記載の方法。
【請求項５】
前記フィルタは、ポリエステル、コルク、プラスチック、シリカ、ゲル、またはそれらの組み合わせを含む、請求項１〜４のいずれか一項に記載の方法。
【請求項６】
前記複数の内側リブの各々は、近位末端を備え、
前記ピペットチップの近位開口と前記内側リブの近位末端との間の前記ピペットチップの前記内側表面の領域は、環状突出を備えていない、請求項１〜５のいずれか一項に記載の方法。
【請求項７】
前記ピペットチップの近位開口と前記内側リブの近位末端との間の前記ピペットチップの前記内側表面の領域は、突出を備えていない、請求項６に記載の方法。
【請求項８】
前記ピペットチップの近位開口と前記内側リブの近位末端との間の前記ピペットチップの前記内側表面の領域は、滑らかである、請求項６または請求項７に記載の方法。
【請求項９】
前記ピペットチップは、フランジと、フランジ遠位周囲とをさらに備えており、前記フランジおよびフランジ遠位周囲は、前記ピペットチップの前記近位開口に配置されている、請求項６〜８のいずれか一項に記載の方法。
【請求項１０】
前記フランジ遠位周囲と前記内側リブの近位末端との間の前記ピペットチップの前記内側表面の領域、または前記フランジ遠位周囲と前記内側リブの近位末端との間の軸方向距離に沿った前記内側表面の領域の一部分は、前記ピペットチップに挿入されることができる分注器ノズルの外側表面と接触するように構成されている、請求項９に記載の方法。
【請求項１１】
前記一部分は、前記フランジ遠位周囲と前記内側リブの近位末端との間の前記軸方向距離の約１０％から約８５％である、請求項１０に記載の方法。
【請求項１２】
前記内側表面の領域または領域の一部分は、軸方向に配置された連続的な途切れのない表面である、請求項１０または請求項１１に記載の方法。
【請求項１３】
前記内側表面の領域または領域の一部分は、隣接する軸方向に配置された近位表面と、隣接する軸方向に配置された遠位表面とによって境を限られ、
前記隣接する軸方向に配置された近位表面および前記隣接する軸方向に配置された遠位表面は、分注器の外側表面と接触するようには構成されていない、請求項１０〜１２のいずれか一項に記載の方法。
【請求項１４】
前記内側表面の領域または領域の一部分は、前記フランジ遠位周囲に位置付けられたかもしくは前記フランジ遠位周囲に隣接して位置付けられた近位周囲によって画定される、請求項１０〜１３のいずれか一項に記載の方法。
【請求項１５】
前記内側表面の領域の一部分は、約０．００５インチ以上の軸方向距離によって画定された連続的な表面であり、
前記軸方向距離は、（ｉ）内側リブ近位末端と（ｉｉ）前記フランジ遠位周囲との間の軸方向距離以下である、請求項１０〜１４のいずれか一項に記載の方法。
【請求項１６】
前記複数の内側リブの各々の近位末端は、前記ピペットチップの前記近位領域における所定の流体分注器挿入深度に配置されるか、または前記ピペットチップの前記近位領域における前記所定の流体分注器挿入深度より下に配置される、請求項１〜１５のいずれか一項に記載の方法。
【請求項１７】
前記所定の流体分注器挿入深度は、前記ピペットチップが流体分注器と密封係合させられた後、前記流体分注器から前記ピペットチップを除去するために必要とされる低減させられた排出力のために最適化された挿入深度である、請求項１６に記載の方法。
【請求項１８】
前記所定の流体分注器挿入深度は、前記ピペットチップが前記流体分注器と密封係合させられた後、前記流体分注器から前記ピペットチップを除去するために必要とされる最小限の排出力のために最適化された挿入深度である、請求項１７に記載の方法。
【請求項１９】
前記ピペットチップの前記内側表面は、前記近位領域における第一の内側壁区分を備え、前記第一の内側壁区分は、前記長手方向軸に対して第一の角度を有する連続的に先細りしている内側壁表面を含み、
前記ピペットチップの前記内側表面は、前記近位領域における第二の内側壁区分を備え、前記第二の内側壁区分は、前記長手方向軸に対して第二の角度を有する連続的に先細りしている内側壁表面を含み、
前記第一の内側壁区分および前記第二の内側壁区分の各々は、壁区分の近位端から遠位端に先細りし、
前記第二の角度は、前記第一の角度より大きい、請求項１〜１８のいずれか一項に記載の方法。
【請求項２０】
各内側リブは、遠位末端を備え、
各内側リブの前記遠位末端の少なくとも一部分は、前記第二の内側壁区分と接続している、請求項１９に記載の方法。
【請求項２１】
前記第一の内側壁区分の角度は、前記長手方向軸に対して約０．２度から約２度であり、前記第二の内側壁区分の角度は、前記長手方向軸に対して約５度から約４０度である、請求項１９または請求項２０に記載の方法。
【請求項２２】
前記複数の内側リブの各々の近位末端は、前記ピペットチップの近位末端からの同じ深度に配置されている、請求項１〜２１のいずれか一項に記載の方法。
【請求項２３】
（ｉ）２つの外側リブの間、かつ、（ｉｉ）前記ピペットチップの近位末端から前記複数の内側リブの各々の近位末端までの間に配置される前記外側表面と前記内側表面との間の厚みは、約０．００５インチから約０．０１５インチである、請求項１〜２２のいずれか一項に記載の方法。
【請求項２４】
前記複数の内側リブの各々の近位表面は、前記長手方向軸に対して４０度と５０度との間の角度で配置されている、請求項１〜２３のいずれか一項に記載の方法。
【請求項２５】
前記複数の内側リブの各々の近位表面は、傾斜表面であり、前記長手方向軸に対して２５度と３５度との間の角度で配置されている、請求項２３に記載の方法。
【請求項２６】
前記ピペットチップは、ポリマーを備えている、請求項１〜２５のいずれか一項に記載の方法。
【請求項２７】
前記フィルタは、前記ピペットチップを通る近位区分末端へのエアロゾルの移行を妨げるかまたはブロックする、請求項１〜２６のいずれか一項に記載の方法。
【請求項２８】
前記力は、押圧デバイスによって加えられる、請求項１〜２７のいずれか一項に記載の方法。